(57)【要約】【課題】分電盤の利便性を向上させる。【解決手段】分電盤１は、キャビネットと、導電部４と、接続部８と、を備える。導電部４は、キャビネットに収容されている。導電部４は、主幹ブレーカ２と分岐ブレーカ３との間を電気的に接続する。接続部８は、導電部４に設けられている。接続部８は、計測アダプタに動作電力を供給するための電源線Ｗ１〜Ｗ３が接続される。計測アダプタは、主幹ブレーカ２及び分岐ブレーカ３の少なくとも一方を通過する電力を計測する計測機能及びキャビネットの外部に配置された機器と通信する通信機能を有する。【選択図】図１
2019165603.tif 000002
【特許請求の範囲】
【請求項１】
キャビネットと、
前記キャビネットに収容されて、主幹ブレーカと分岐ブレーカとの間を電気的に接続する導電部と、
前記導電部に設けられて、前記主幹ブレーカ及び前記分岐ブレーカの少なくとも一方を通過する電力を計測する計測機能及び前記キャビネットの外部に配置された機器と通信する通信機能を有する計測アダプタに動作電力を供給するための電源線が接続される接続部と、
を備える、
分電盤。
【請求項２】
請求項１記載の分電盤に用いられる端子カバーであって、
カバー本体と、
前記カバー本体と繋がっており、前記カバー本体が前記接続部を覆うように前記分電盤の一部に取り付けられる取付部と、
を備える、
端子カバー。
【請求項３】
前記カバー本体は、前記電源線を保持する電源線保持構造を有する、
請求項２記載の端子カバー。
【請求項４】
前記カバー本体は、前記計測アダプタに電気信号を伝達するための信号線を保持する、信号線保持構造を有する、
請求項３記載の端子カバー。
【請求項５】
前記カバー本体は、板状の前板を有し、
前記前板は、前記接続部と対向する厚さ方向の第１面と、前記信号線保持構造が設けられている前記厚さ方向の第２面と、を有し、
前記前板は、前記厚さ方向に貫通しており前記信号線が通る引き出し部を有する、
請求項４記載の端子カバー。
【請求項６】
前記電源線保持構造及び前記信号線保持構造は、前記信号線が前記電源線から離れるように、前記電源線及び前記信号線をそれぞれ保持する、
請求項４又は５記載の端子カバー。
【請求項７】
前記電源線保持構造及び前記信号線保持構造は、前記信号線の方が前記電源線よりも前記主幹ブレーカから離れるように、前記電源線及び前記信号線をそれぞれ保持する、
請求項４〜６の何れか一項記載の端子カバー。
【請求項８】
前記電源線保持構造に保持された前記電源線の少なくとも一部を覆う蓋を更に備える、
請求項３〜７の何れか一項記載の端子カバー。
【請求項９】
前記取付部は、前記分電盤の前記一部に引っ掛けられる爪を備える、
請求項２〜８の何れか一項記載の端子カバー。
【請求項１０】
前記分電盤の前記一部は、前記爪が差し込まれる差込孔を備え、
前記爪は、前記差込孔の周縁に引っ掛けられるように前記差込孔への差し込み方向と交差する所定方向の第１向きに突出しており、
前記取付部は、前記第１向きと反対向きである第２向きに突出しており、前記差込孔に差し込まれた状態で、前記差込孔の内壁に接触することで前記爪の前記第２向きへの変位を抑制する突リブを備える、
請求項９記載の端子カバー。
【請求項１１】
キャビネットと、
前記キャビネットに収容されて、主幹ブレーカと分岐ブレーカとの間を電気的に接続する導電部と、
前記導電部に設けられて、前記主幹ブレーカ及び前記分岐ブレーカの少なくとも一方を通過する電力を計測する計測機能及び前記キャビネットの外部に配置された機器と通信する通信機能を有する計測アダプタに動作電力を供給するための電源線が接続される接続部と、
請求項２〜１０の何れか一項記載の端子カバーと、
を備える、
カバー付分電盤。
【発明の詳細な説明】
【技術分野】
【０００１】
本開示は、一般に分電盤、端子カバー及び端子カバー付分電盤に関し、より詳細には、端子カバーを取り付け可能な分電盤、この分電盤に用いられる端子カバー、及び端子板カバーが分電盤に取り付けられてなる端子カバー付分電盤に関する。
【背景技術】
【０００２】
特許文献１には、従来の分電盤の一例が開示されている。
【０００３】
特許文献１の分電盤は、通信アダプタと、計測ユニットと、を備えている。通信アダプタは、機器管理装置との間で電波を媒体とした双方向の無線通信を行う。計測ユニットは、分岐配線毎に電気機器に供給される使用電力を算出する。
【０００４】
計測ユニットは、複数の分岐ブレーカのうちの何れか１つの分岐ブレーカに分岐配線を介して電気的に接続されている。計測ユニットには、中性相（Ｎ相）と第２の電圧相（Ｌ２相）との間に印加される交流電圧（１００Ｖ）が、分岐ブレーカを介して入力されている。計測ユニットは、入力された交流電圧を所望の直流電圧に変換して動作電源を得ている。通信アダプタは、電源線を介して計測ユニットから直流電圧を供給されることで、動作電源を得ている。
【先行技術文献】
【特許文献】
【０００５】
【特許文献１】特開２０１５−９１０００号公報
【発明の概要】
【発明が解決しようとする課題】
【０００６】
特許文献１の分電盤では、計測ユニットの動作電力は、分岐ブレーカに接続された分岐配線を介して供給される。このため、特許文献１の分電盤では、複数の分岐ブレーカのうちの少なくとも１つが計測ユニットへの電力供給のために専有されてしまい、利便性が低下する可能性がある。
【０００７】
本開示は上記課題に鑑みてなされ、分電盤の利便性を向上させることを目的とする。
【課題を解決するための手段】
【０００８】
本開示の一態様に係る分電盤は、キャビネットと、導電部と、接続部と、を備える。前記導電部は、前記キャビネットに収容されて、主幹ブレーカと分岐ブレーカとの間を電気的に接続する。前記接続部は、前記導電部に設けられている。前記接続部は、計測アダプタに動作電力を供給するための電源線が接続される。前記計測アダプタは、前記主幹ブレーカ及び前記分岐ブレーカの少なくとも一方を通過する電力を計測する計測機能及び前記キャビネットの外部に配置された機器と通信する通信機能を有する。
【０００９】
本開示の一態様に係る端子カバーは、前記分電盤に用いられる端子カバーである。前記端子カバーは、カバー本体と、取付部と、を備える。前記取付部は、前記カバー本体と繋がっている。前記取付部は、前記カバー本体が前記接続部を覆うように前記分電盤の一部に取り付けられる。
【００１０】
本開示の一態様に係る端子カバー付分電盤は、キャビネットと、導電部と、接続部と、前記端子カバーと、を備える。前記導電部は、前記キャビネットに収容されて、主幹ブレーカと分岐ブレーカとの間を電気的に接続する。前記接続部は、前記導電部に設けられている。前記接続部は、計測アダプタに動作電力を供給するための電源線が接続される。前記計測アダプタは、前記主幹ブレーカ及び前記分岐ブレーカの少なくとも一方を通過する電力を計測する計測機能及び前記キャビネットの外部に配置された機器と通信する通信機能を有する。
【発明の効果】
【００１１】
本開示によると、分電盤の利便性を向上させることが可能となる。
【図面の簡単な説明】
【００１２】
【図１】図１は、本開示の実施形態に係る分電盤の要部の、端子カバーが外された状態の正面図である。
【図２】図２は、同上の分電盤の外蓋及び内蓋が外された状態の正面図である。
【図３】図３は、同上の分電盤の斜視図である。
【図４】図４は、同上の分電盤の要部の、端子カバー及び主幹ブレーカが取り外された状態の正面図である。
【図５】図５は、同上の分電盤に用いられる端子カバーを示し、端子カバーに電源線及び信号線を保持させて蓋を閉じた状態の斜視図である。
【図６】図６は、同上の端子カバーを示し、端子カバーに電源線及び信号線を保持させて蓋を開けた状態の斜視図である。
【図７】図７は、同上の端子カバーの要部を示す斜視図である。
【図８】図８Ａ及び図８Ｂは、同上の端子カバーを分電盤に取り付ける手順を示す説明図である。
【図９】図９Ａ〜図９Ｃは、同上の端子カバーを分電盤に取り付ける手順を示す説明図である。
【発明を実施するための形態】
【００１３】
以下に説明する実施形態及び変形例は、本開示の一例に過ぎない。本開示は、実施形態及び変形例に限定されることなく、この実施形態及び変形例以外であっても、本開示に係る技術的思想を逸脱しない範囲であれば、設計等に応じて種々の変更が可能である。下記の実施形態及び変形例において説明する各図は、模式的な図であり、図中の各構成要素の大きさ及び厚さそれぞれの比が必ずしも実際の寸法比を反映しているとは限らない。
【００１４】
（１）実施形態
以下、本実施形態の分電盤１、端子カバー９及び端子カバー付分電盤１０００について、図１〜図９Ｃを参照しながら説明する。本実施形態では、端子カバー９が取り付けられた分電盤１を、端子カバー付分電盤１０００と呼ぶこととする。ただし、説明の便宜上、端子カバー付分電盤１０００のことを単に分電盤１と呼ぶ場合もある。
【００１５】
本実施形態では、分電盤１が戸建住宅に用いられる場合を例示するが、この例に限らず、分電盤１は、集合住宅の各住戸、事務所、店舗等に用いられてもよい。また、以下の説明では特に断りがない限り、図２の上下左右を分電盤１の上下左右と規定し、図２の紙面に垂直な方向を分電盤１の前後方向（手前が前方向）と規定する。詳しくは、主幹ブレーカ２と分岐ブレーカ３とが並ぶ方向を左右方向と呼び、導電バー４１，４２，４３（接続部８１，８２，８３）と端子カバー９とが並ぶ方向を前後方向と呼ぶ。また、左右方向および前後方向と直交する方向を上下方向と呼ぶ。ただし、これらの方向は分電盤１を取り付ける向きを規定する趣旨ではない。
【００１６】
本実施形態の端子カバー付分電盤１０００は、図１、図２に示すように、キャビネット１０と、主幹ブレーカ２と、複数の分岐ブレーカ３と、導電バー４１，４２，４３と、電流計測装置５と、計測アダプタ６と、端子カバー９と、を備えている。図１は、分電盤１（端子カバー９が取り外された状態）の要部を示す図である。
【００１７】
キャビネット１０は、図２、図３に示すように、キャビネット本体１１と、内蓋１６と、外蓋１５と、を備えている。
【００１８】
キャビネット本体１１は、図２に示すように、前面が開口した箱状に形成されている。図１、図２に示すように、キャビネット本体１１には、主幹ブレーカ２、複数の分岐ブレーカ３、導電バー４１，４２，４３、電流計測装置５、及び計測アダプタ６が収容されている。また、キャビネット本体１１の底壁は、前後方向に貫通する窓孔１２を有しており、この窓孔１２を通して壁裏からキャビネット本体１１の内部に配線を引き込むことが可能である。
【００１９】
図３に示すように、キャビネット本体１１には、キャビネット本体１１の前面を閉塞する位置と開放する位置との間で移動可能な内蓋１６及び外蓋１５が取り付けられる。
【００２０】
図２に示すように、主幹ブレーカ２は、キャビネット本体１１の内部において、左右方向の中央よりもやや左側の位置に配置されている。なお、キャビネット本体１１内での主幹ブレーカ２の位置は、例えば中央よりも右側等他の位置であってよい。図１、図２に示すように、主幹ブレーカ２は、一次側端子２１１，２１２，２１３と、二次側端子２２１，２２２，２２３とを備えている。本実施形態の分電盤１では配電方式として単相三線式を想定しているので、主幹ブレーカ２の一次側端子２１１，２１２，２１３には、系統電源（商用電源）の単相三線式の引き込み線が電気的に接続される。
【００２１】
主幹ブレーカ２の二次側端子２２１，２２２，２２３には、第１電圧極（Ｌ１相）の導電バー４１、第２電圧極（Ｌ２相）の導電バー４２、中性極（Ｎ相）の導電バー４３がそれぞれ接続されている。各導電バー４１，４２，４３（図１、図４参照）は、導電部材により左右方向に長い長尺板状に形成されており、キャビネット本体１１の内部において、上下方向の中央であって主幹ブレーカ２の右側の位置に配置されている。
【００２２】
図４に示すように、導電バー４１〜４３の各々は、第１電圧極の導電バー４１、中性極の導電バー４３、第２電圧極の導電バー４２の順に、上から並んで配置されている。ただし、中性極の導電バー４３は、第１電圧極の導電バー４１及び第２電圧極の導電バー４２よりも手前側に（導電バー４１，４２よりも前後方向に離れるように）配置されている。導電バー４１〜４３は、バー支え４０によって、互いに接触しないように保持されている。バー支え４０は、正面視矩形の板状であって、上半分の板状の部分で導電バー４１を支持し、下半分の板状の部分で導電バー４２を支持し、上下方向の中央において前方へ突出するように形成された支持台によって、導電バー４３を支持している。また、導電バー４１，４２の前方には、導電バー４１，４２の左端部以外の部分を覆うように、電気絶縁性を有する矩形板状のバーシールド４１０，４２０がそれぞれ配置されている。
【００２３】
主幹ブレーカ２の二次側端子２２１〜２２３の各々は、対応する導電バー４１〜４３と、例えばネジによって接続される。詳しくは、主幹ブレーカ２の二次側端子２２１，２２２，２２３には、それぞれ貫通孔（丸孔）２２１０，２２２０，２２３０が形成されている（図１参照）。また、導電バー４１，４２，４３の左端には、それぞれ貫通孔（丸孔）４１１，４２１，４３１が形成されている（図４参照）。主幹ブレーカ２の二次側端子２２１〜２２３の貫通孔２２１０〜２２３０と、対応する導電バー４１〜４３の貫通孔４１１〜４３１とを重ねる。そして、重ねた貫通孔にネジを前方から通し、導電バーの後方に配置したナットをネジに結合することで、二次側端子２２１〜２２３が、対応する導電バー４１〜４３と接続される。
【００２４】
複数の分岐ブレーカ３は、中性極の導電バー４３の上側と下側とに分かれて、それぞれ複数個ずつ左右方向に並ぶように配置されている。本実施形態では、図２に示すように、中性極の導電バー４３の上側に、１２個の分岐ブレーカ３が左右方向に並ぶように配置されている。また、中性極の導電バー４３の下側に、１０個の分岐ブレーカ３が左右方向に並ぶように配置されている。なお、下側の１０個の分岐ブレーカ３の右側には、２個のスペーサ３０が左右方向に並ぶように配置され、これらスペーサ３０の右側には、二次連系ブレーカ１００が配置されている。
【００２５】
各分岐ブレーカ３は、一対の一次側端子と、一対の二次側端子とを備えている。分岐ブレーカ３には１００Ｖ用と２００Ｖ用がある。１００Ｖ用の分岐ブレーカ３が備える一対の一次側端子は、第１電圧極の導電バー４１および第２電圧極の導電バー４２のうちの一方と、中性極の導電バー４３とにそれぞれ電気的に接続される。２００Ｖ用の分岐ブレーカ３が備える一対の一次側端子は、第１電圧極の導電バー４１と、第２電圧極の導電バー４２とにそれぞれ電気的に接続される。
【００２６】
すなわち、本実施形態の導電バー４１，４２，４３は、主幹ブレーカ２と分岐ブレーカ３との間を電気的に接続する導電部４を構成する。本実施形態の導電部４（導電バー４１，４２，４３）は、主幹ブレーカ２の二次側と分岐ブレーカ３の一次側との間を、電気的に（直接）接続している。
【００２７】
分岐ブレーカ３の二次側端子には、対応する電路が電気的に接続される。各分岐ブレーカ３の二次側端子に接続された電路には、例えば照明器具、空調機器、テレビ受像器、又は給湯設備等の機器、コンセント（アウトレット）又は壁スイッチ等の配線器具が負荷として１つ以上接続される。
【００２８】
スペーサ３０は、電気絶縁性を有する材料、例えば樹脂材料から、前後及び上下の形状が分岐ブレーカ３とほぼ同じであって左右方向の寸法が分岐ブレーカ３と同じである枠状に形成されている。
【００２９】
二次連系ブレーカ１００は、３Ｐ３Ｅ（極数３、素子数３）で、左右方向の寸法が分岐ブレーカ３の複数個分（３個分）の大きさのブレーカである。二次連系ブレーカ１００は、電力系統への逆潮流が許容されていない分散電源に電気的に接続される。この種の分散電源としては、例えば燃料電池、ガス発電装置、蓄電装置等がある。
【００３０】
電流計測装置５は、複数の分岐ブレーカ３の各々に接続された負荷（電路）に流れる電流を計測するように構成されている。電流計測装置５は、例えば、基板と複数のコイルとを備えている。基板は、左右方向に長い板状である。基板には、複数の孔が形成されている。複数の孔の各々には、導電バー４１，４２，４３の何れかから延びて分岐ブレーカ３の一次側端子に接続される端子が、挿入される。コイルは例えばロゴスキコイルであり、基板の孔の周りに形成されている。本実施形態の電流計測装置５は、複数の分岐ブレーカ３の各々に流れる電流を計測する。
【００３１】
図２に示すように、電流計測装置５には、計測した電流の情報を電気信号として出力（伝達）するための信号線（弱電線）Ｗ０が接続されている。信号線Ｗ０は、電流計測装置５から下方に引き出されて、キャビネット１０内の下側の空間を引き回された後、計測アダプタ６に接続されている。なお、図１、図４では、電流計測装置５及び信号線Ｗ０の図示を省略している。
【００３２】
計測アダプタ６は、キャビネット本体１１の内部において、主幹ブレーカ２の左側に配置されている。計測アダプタ６は、分電盤１内の主幹ブレーカ２及び分岐ブレーカ３の少なくとも一方を通過する電力を計測する計測機能、及びキャビネット１０の外部に配置された機器と通信する通信機能を有している。
【００３３】
本実施形態の計測アダプタ６は、主幹ブレーカ２に流れる電流を計測する主幹電流計測装置及び電流計測装置５と、電気的に接続されている。詳しくは、計測アダプタ６は、第１通信コネクタ６９１と、第２通信コネクタ６９２と、を備えている。図２に示すように、第１通信コネクタ６９１には、電流計測装置５からの信号線Ｗ０が接続される。第２通信コネクタ６９２には、主幹電流計測装置からの信号線が接続される。主幹電流計測装置は、例えばカレントトランス（ＣＴ）からなる電流センサを備えている。そして、計測アダプタ６は、電流計測装置５及び主幹電流計測装置が計測した電流の値のそれぞれを電力値に変換する。
【００３４】
また、計測アダプタ６は、ＨＥＭＳに対応する機器（以下、ＨＥＭＳ対応機器という）の制御を行うように構成されたコントローラとの間で通信する機能（通信機能）を有している。コントローラは、キャビネット１０の外部に配置された機器である。ここに、ＨＥＭＳ対応機器は、消費電力の管理対象であれば足り、例えばスマートメータ、太陽光発電装置、蓄電装置、燃料電池、電気自動車、エアコン、照明器具、給湯装置、冷蔵庫、テレビ受像機等を含む。なお、ＨＥＭＳ対応機器は、これらの機器に限定されない。
【００３５】
計測アダプタ６とコントローラとの間の通信方式は、例えば９２０ＭＨｚ帯の特定小電力無線局（免許を要しない無線局）、Ｗｉ−Ｆｉ（登録商標）、Ｂｌｕｅｔｏｏｔｈ（登録商標）等の通信規格に準拠した、電波を媒体とした無線通信であってもよい。また、計測アダプタ６とコントローラとの間の通信方式は、有線ＬＡＮ（Local Area Network）等の通信規格に準拠した、有線通信であってもよい。
【００３６】
また、計測アダプタ６とコントローラとの間の通信における通信プロトコルは、例えばＥｔｈｅｒｎｅｔ（登録商標）、ＥＣＨＯＮＥＴ  Ｌｉｔｅ（登録商標）等を用いてもよい。
【００３７】
本実施形態の分電盤１では、計測アダプタ６は、電流計測装置５が計測した複数の電路の各々の電流値を、第１通信コネクタ６９１を介して電流計測装置５から受け取る。さらに、計測アダプタ６は、主幹電流計測装置が計測した電流値を、第２通信コネクタ６９２を介して主幹電流計測装置から受け取る。計測アダプタ６は、電流計測装置５及び主幹電流計測装置が計測した電流値のそれぞれを電力値（瞬時電力値）に変換する。計測アダプタ６は、収集した瞬時電力のデータを所定時間に亘って積算した電力量のデータを演算する機能を有している。したがって、計測アダプタ６と通信するコントローラは、複数の電路の各々での瞬時電力や電力量に基づいてＨＥＭＳ対応機器を制御することができる。
【００３８】
また、計測アダプタ６は、太陽光発電装置、蓄電装置、電気自動車に電気的に接続される電力変換装置の少なくとも１つとの間で通信する機能（通信機能）を有している。これらの装置も、計測アダプタ６の通信機能による通信対象である外部の機器に相当する。なお、電力変換装置は、分電盤１から電気自動車への単方向充電を行うための電力変換の他、双方向に電力変換を行うことで電気自動車の蓄電池の充電と放電との両方に用いられる構成であってもよい。
【００３９】
また、計測アダプタ６は、ガスメータと水道メータとの少なくとも一方との通信機能を有している。これらのメータも、計測アダプタ６の通信機能による通信対象である外部の機器に相当する。計測アダプタ６と太陽光発電装置、蓄電装置、電力変換装置との間の通信方式は、例えばＲＳ−４８５等の通信規格に準拠した有線通信である。なお、計測アダプタ６は、例えば貯湯型の給湯装置（エコキュート（登録商標））等と通信可能であってもよい。ただし、計測アダプタ６とガスメータ、水道メータとの間の通信方式は、有線通信に限らず、無線通信であってもよい。
【００４０】
図１、図２に示すように、本実施形態の分電盤１では、計測アダプタ６に動作電力を供給するための電源線（強電線）Ｗ１〜Ｗ３が、導電バー４１〜４３（導電部４）に直接接続されている。すなわち、計測アダプタ６には、導電バー４１〜４３（導電部４）から直接的に（分岐ブレーカ３を介さずに）、動作電力が供給される。
【００４１】
詳しくは、図１、図４に示すように、本実施形態の分電盤１は、計測アダプタ６に動作電力を供給するための電源線Ｗ１，Ｗ２，Ｗ３が接続される接続部８（第１接続部８１、第２接続部８２、第３接続部８３）を、備えている。接続部８（第１接続部８１〜第３接続部８３）は、導電部４に（導電バー４１〜４３に）設けられている。
【００４２】
図４に示すように、本実施形態における接続部８（第１接続部８１〜第３接続部８３）は、導電部４（導電バー４１〜４３）に形成された貫通孔（丸孔）である。
【００４３】
接続部８を構成する３つの貫通孔のうちの２つ（導電バー４１に設けられている第１接続部８１と、導電バー４２に設けられている第２接続部８２と）は、上下方向に並んで配置されている。第１接続部８１と第２接続部８２との間には、主幹ブレーカ２の二次側端子２２１，２２２，２２３を接続するための貫通孔４１１，４２１，４３１が、上下方向に並んで配置されている。接続部８を構成する３つの貫通孔のうちの残りの１つ（導電バー４３に設けられている第３接続部８３）は、第１接続部８１と第２接続部８２とを結ぶ仮想線から、右側にずれた位置に配置されている。
【００４４】
第１電圧極（Ｌ１相）の導電バー４１に設けられている第１接続部８１には、第１電圧極の電源線Ｗ１の第１端が接続されている。第２電圧極（Ｌ２相）の導電バー４２に設けられている第２接続部８２には、第２電圧極の電源線Ｗ２の第１端が接続されている。中性極（Ｎ相）の導電バー４３に設けられている第３接続部８３には、中性極の電源線Ｗ３の第１端が接続されている。図１に示すように、電源線Ｗ１〜Ｗ３の各々の第１端には、圧着端子が結合されている。電源線Ｗ１〜Ｗ３の各々の第１端は、圧着端子の貫通孔に通されたネジによって、対応する第１〜第３接続部８１〜８３（導電バー４１〜４３）と、接続される。
【００４５】
図１に示すように、電源線Ｗ１の第１端は、第１接続部８１に上側から接続されている（電源線Ｗ１は、第１接続部８１から上方に延びている）。また、電源線Ｗ３の第１端は、第３接続部８３に上側から接続されている（電源線Ｗ３は、第３接続部８３から上方に延びている）。一方、電源線Ｗ２は、上方から下方に向かうようにキャビネット１０内を（主幹ブレーカ２の二次側端子２２１〜２２３の前方を通って）引き回されて（図２参照）、第１端が第２接続部８２に下側から接続される（図１参照）。
【００４６】
図２に示すように、電源線Ｗ１〜Ｗ３の各々の第２端は、計測アダプタ６に接続されている。電源線Ｗ１〜Ｗ３は、キャビネット本体１１に設けられたフックに引っ掛けられて、保持されている。
【００４７】
要するに、本実施形態の分電盤１では、計測アダプタ６に動作電力を供給するための電源線Ｗ１〜Ｗ３が、導電部４（導電バー４１〜４３）に設けられた接続部８（第１接続部８１〜第３接続部８３）に、直接接続されている。したがって、本実施形態では、分岐ブレーカ３を介して計測アダプタ６に動作電力を供給する場合と比べて、分電盤１が設けられている施設内の電気機器への電力供給に利用可能な分岐ブレーカ３の数が、増加する。これにより、分電盤１の利便性を向上させることが可能となる。
【００４８】
なお、図２に示すように、計測アダプタ６には、第１端がアース端子４４に接続されている接地線Ｗ４の第２端が、接続されている。接地線Ｗ４は、電源線Ｗ１〜Ｗ３とともに計測アダプタ６から引き出されており、上方から下方に向かうようにキャビネット１０内を（主幹ブレーカ２の二次側端子２２１〜２２３の前方を通って）引き回され（図２参照）、アース端子４４に接続されている。
【００４９】
本実施形態の分電盤１（端子カバー付分電盤１０００）は、図２に示すように、導電バー４１〜４３に設けられた接続部８（第１接続部８１〜第３接続部８３）を覆う端子カバー９を、さらに備えている。端子カバー９は、その取付部９２が、分電盤１の一部（バー支え４０に形成された被取付部４００）に取り付けられることで、分電盤１に取り付けられる。
【００５０】
以下、本実施形態の端子カバー９について、図５〜図７を参照して説明する。
【００５１】
端子カバー９は、図５、図６に示すように、カバー本体９１と、取付部９２と、蓋９３と、を備えている。カバー本体９１は、端子カバー９において、接続部８（第１接続部８１〜第３接続部８３）を覆う部分である。取付部９２は、カバー本体９１が接続部８を覆うように、分電盤１の一部（被取付部４００）に取り付けられる部分である。取付部９２は、カバー本体９１と繋がっている。
【００５２】
図６に示すように、カバー本体９１は、前板９１１と、第１側板（上板）９１２と、第２側板（下板）９１３と、を有している。
【００５３】
前板９１１は、前後方向に厚さを有し、上下方向の寸法が左右方向の寸法よりも大きな矩形板状である。前板９１１の上下方向の寸法は、第１接続部８１（貫通孔）の上端と第２接続部８２（貫通孔）の下端との間の上下方向の間隔よりも大きい。前板９１１の左右方向の寸法は、第１接続部８１（貫通孔）の左端と第３接続部８３（貫通孔）の右端との間の左右方向の間隔よりも大きい。つまり、カバー本体９１の前板９１１は、第１接続部８１〜第３接続部８３の全部を前方から覆うことが可能な大きさに形成されている。前板９１１は、後面（厚さ方向の第１面）で接続部８（第１接続部８１〜第３接続部８３）と対向する。
【００５４】
図６に示すように、前板９１１の前面（厚さ方向の第２面）において左右方向の中央よりも右側の位置には、前方に突出し上下方向に延びる隔壁（第１隔壁）９１１１が、前板９１１の上下方向の全長にわたって形成されている。
【００５５】
前板９１１の前面の上端において、隔壁９１１１よりも左側の位置には、互いに平行であって上下方向に延びる複数（本実施形態では例えば３つ）の保持リブ（第１保持リブ）９１１２が形成されている。本実施形態では、３つの保持リブ９１１２のうちの左端の保持リブ９１１２は、残りの２つよりも上下方向に長く形成されている。
【００５６】
前板９１１の前面の下端において、隔壁９１１１よりも左側の位置には、互いに平行であって上下方向に延びる複数（本実施形態では例えば３つ）の保持リブ（第２保持リブ）９１１３が形成されている。本実施形態では、３つの保持リブ９１１３のうちの左端の保持リブ９１１３は、残りの２つよりも上下方向に長く形成されている。
【００５７】
３つの第２保持リブ９１１３は、３つの第１保持リブ９１１２と、それぞれ上下方向に揃った位置に形成されている。
【００５８】
前板９１１の前面における右端には、前方に突出し上下方向に延びるフランジ９１１４が、前板９１１の上下方向の全長にわたって形成されている。
【００５９】
また、前板９１１は、上下方向の中央よりも上側かつ右端の位置に、厚さ方向に貫通する引き出し部９１１５を有している。引き出し部９１１５は、本実施形態では、前板９１１の右端から内向きに形成された切り欠きである。
【００６０】
前板９１１の右端における上端及び下端の位置には、上下に細長い引掛孔９１１６が形成されている。
【００６１】
図５、図６に示すように、端子カバー９は、２つの第１保持リブ９１１２の間に、電源線Ｗ２を保持（挟持）することが可能である。また、端子カバー９は、２つの第２保持リブ９１１３の間に、電源線Ｗ２を保持（挟持）することが可能である。言い換えれば、カバー本体９１は、電源線Ｗ２を保持する電源線保持構造（保持リブ９１１２，９１１３）を有している。電源線保持構造によって、キャビネット１０内を上下方向に引き回される電源線Ｗ２を、保持することが可能となる。本実施形態では、特に、２つの保持リブで電源線Ｗ２を挟むことで、電源線Ｗ２を保持している。このため、電源線Ｗ２をより確実に保持することが可能となる。
【００６２】
また、本実施形態の端子カバー９は、カバー本体９１の上端及び下端の両方に、電源線保持構造（第１保持リブ９１１２、及び第２保持リブ９１１３）を有している。このため、電源線Ｗ２を、カバー本体９１の上端と下端との両方の位置で、保持することができる。
【００６３】
図５、図６に示すように、前板９１１の引き出し部９１１５には、信号線Ｗ０を通すことが可能である。言い換えれば、前板９１１は、厚さ方向に貫通しており信号線Ｗ０が通る引き出し部９１１８を有している。信号線Ｗ０は、例えば、電流計測装置５の左端から引き出されて、引き出し部９１１５を通って前板９１１の前側に導出される。そして、前板９１１の前側に導出された信号線Ｗ０は、第１隔壁９１１１とフランジ９１１４とで囲まれる溝に保持（位置決め）される。言い換えれば、カバー本体９１は、計測アダプタ６に電気信号を伝達するための信号線Ｗ０を保持する、信号線保持構造（隔壁９１１１、フランジ９１１４）を有している。これにより、キャビネット１０内を上下方向に引き回される信号線Ｗ０の位置を、保持することが可能となる。
【００６４】
図６に示すように、電源線保持構造が電源線Ｗ２を保持し信号線保持構造が信号線Ｗ０を保持した状態で、電源線Ｗ２と信号線Ｗ０との間には、隔壁９１１１が存在する。したがって、電源線保持構造によって保持された電源線Ｗ２と信号線保持構造によって保持された信号線Ｗ０とは、空間的に隔てられる。言い換えれば、電源線保持構造及び信号線保持構造は、信号線Ｗ０が電源線Ｗ２から離れるように、電源線Ｗ２及び信号線Ｗ０をそれぞれ保持している。これにより、信号線Ｗ０を伝達される電気信号が、電源線Ｗ２に流れる電流に起因するノイズの影響を受けにくくなり、信号伝達の信頼性を向上させることが可能となる。なお、電源線Ｗ２と信号線Ｗ０との間に隔壁９１１１がなくても、電源線Ｗ２と信号線Ｗ０とが空間的に隔てられるように保持されていれば、電気信号に対するノイズの影響を低減することが可能である。
【００６５】
また、本実施形態の端子カバー９では、電源線保持構造が前板９１１の左側（主幹ブレーカ２の近く）に設けられ、信号線保持構造が前板９１１の右側（主幹ブレーカ２から離れた位置）に設けられている。言い換えれば、電源線保持構造及び信号線保持構造は、信号線Ｗ０の方が電源線Ｗ２よりも主幹ブレーカ２から離れるように、電源線Ｗ２及び信号線Ｗ０をそれぞれ保持する。これにより、信号線Ｗ０を伝達される電気信号が、主幹ブレーカ２に流れる電流に起因するノイズの影響を受けにくくなり、信号伝達の信頼性を向上させることが可能となる。
【００６６】
なお、図５、図６に示すように、電源線保持構造によって、接地線Ｗ４を保持することも可能である。この場合、信号線Ｗ０の電気信号に対するノイズの影響を低減するためには、図２、図５、図６に示すように、主幹ブレーカ２側から電源線Ｗ２、接地線Ｗ４、信号線Ｗ０がこの順に並ぶように、これらの電線を保持することが好ましい。
【００６７】
図５、図６に示すように、第１側板９１２は、上下方向に厚さを有し、前後方向の寸法が左右方向の寸法よりも大きな矩形板状である。第１側板９１２は、前板９１１の上端から後方に突出している。第１側板９１２の後端には、前方に延びる切り欠き９１２１が形成されている。この切り欠き９１２１には、例えば電源線Ｗ３を通すことが可能である。
【００６８】
第２側板９１３は、上下方向に厚さを有し、前後方向の寸法が左右方向の寸法よりも大きな矩形板状である。第２側板９１３は、前板９１１の下端から後方に突出している。
【００６９】
図５に示すように、蓋９３は、前後方向に厚さを有し、上下方向の寸法が左右方向の寸法よりも大きな矩形板状である。蓋９３は、前板９１１の前面のほぼ全体を覆う大きさに形成されている。
【００７０】
図５、図６に示すように、蓋９３は、ヒンジ構造によって、カバー本体９１に取り付けられている。蓋９３は、前板９１１の前面を覆う閉位置（図５参照）と前板９１１の前面を開放する開位置（図６参照）との間で移動可能（回転可能）となっている。
【００７１】
蓋９３は、閉位置では、前板９１１の前面の左側の部分に設けられた電源線保持構造に保持された電源線Ｗ２を、前方から覆うことが可能である（図５参照）。言い換えれば、端子カバー９は、電源線保持構造に保持された電源線Ｗ２の少なくとも一部を覆う蓋９３を備えている。また、本実施形態では、蓋９３は、閉位置では、前板９１１の前面の右側の部分に設けられた信号線保持構造に保持された信号線Ｗ０を、前方から覆うことが可能である。
【００７２】
蓋９３は、左右方向の中央に、後方へ凹んだ凹所９３１が、上下方向の全長にわたって形成されている。蓋９３が閉位置にあるとき、凹所９３１の右端は、カバー本体９１の隔壁９１１１の左側面と近接（或いは接触）している。
【００７３】
図６に示すように、蓋９３の裏面（閉位置において、カバー本体９１の前板９１１の前面と対向する面）において、カバー本体９１の第１保持リブ９１１２の下方の位置には、ストッパ（第１ストッパ）９３２が設けられている。また、蓋９３の裏面において、カバー本体９１の第２保持リブ９１１３の上方の位置には、ストッパ（第２ストッパ）９３３が設けられている。ストッパ９３２，９３３は、保持リブ９１１２，９１１３に保持された電源線Ｗ２（接地線Ｗ４）の位置ずれを防止する。
【００７４】
蓋９３の裏面の右端における上端及び下端の位置には、前板９１１の引掛孔９１１６に挿入されて引掛孔９１１６の縁に引っ掛けられる引掛爪９３４が形成されている。引掛爪９３４が引掛孔９１１６の縁に引っ掛かることで、蓋９３が閉位置に保持される。
【００７５】
取付部９２は、分電盤１の一部（バー支え４０の被取付部４００）に取り付けられる。
【００７６】
図１、図４に示すように、被取付部４００は、導電バー４１よりも上側に設けられた第１被取付部４０１と、導電バー４２よりも下側に設けられた第２被取付部４０２と、を備えている。
【００７７】
本実施形態では、第１被取付部４０１は、バー支え４０を前後方向に貫通し、前側から前後方向の途中まで徐々に開口径が小さくなる正面視矩形状の貫通孔（差込孔）を有している（図８Ａ参照）。ただし、第１被取付部４０１は、開口径が前後方向にわたって一定の貫通孔を有していてもよい。
【００７８】
第２被取付部４０２は、バー支え４０を前後方向に貫通し、前側から前後方向の途中まで徐々に開口径が小さくなる正面視矩形状の貫通孔（差込孔）を有している（図９Ａ参照）。第２被取付部４０２は、図９Ａに示すように、前方から後方に向かって徐々に開口径が小さくなる第１部分４０２１と、第１部分４０２１の後端に位置しており前後方向の開口径が一定である第２部分４０２２と、を有している。
【００７９】
図５、図６に示すように、取付部９２は、第１被取付部４０１に取り付けられる第１取付部９２１と、第２被取付部４０２に取り付けられる第２取付部９２２と、を備えている。
【００８０】
図５、図６に示すように、本実施形態では、第１取付部９２１は、第１板部９２１１と第２板部９２１２とを有している。第１板部９２１１は、第１側板９１２の後端から後方に突出する矩形板状の部分である。第２板部９２１２は、第１板部９２１１の後端から後ろ斜め上方に突出する矩形板状の部分である。
【００８１】
図５、図７に示すように、第２取付部９２２は、板部９２２１と、爪９２２２と、突リブ９２２３と、を備えている。板部９２２１は、第２側板９１３の後端から後方に突出する矩形板状である。爪９２２２は、板部９２２１の下面（図７の左面）における後端（図７の下端）から、板部９２２１の突出方向と交差する所定方向（上下方向：図７の左右方向）の第１向き（下向き：図７の左向き）に突出している。突リブ９２２３は、板部９２２１の上面（図７の右面）において、後端よりも前方の位置から、所定方向（上下方向）の第２向き（上向き：図７の右向き）に突出している。突リブ９２２３は、前後方向（図７の上下方向）において、爪９２２２よりも前側（図７の上側）に設けられている。突リブ９２２３の突出先端は、前方から後方に向かうにつれて（図７の上から下に向かうにつれて）、板部９２２１からの突出量が徐々に小さくなるように傾斜した傾斜面を有している。
【００８２】
以下に、図８Ａ、図８Ｂ、図９Ａ〜図９Ｃを参照して、端子カバー９の分電盤１への取り付け方について説明する。
【００８３】
まず作業者は、図８Ａに示すように、端子カバー９の第１取付部９２１が第１被取付部４０１の差込孔の前方に位置するように、端子カバー９を配置する。作業者は、第１取付部９２１の第２板部９２１２が差込孔を向くように端子カバー９を傾け、端子カバー９を後方にスライド移動させて、第２板部９２１２を差込孔に差し込む。作業者は、第１板部９２１１が第１被取付部４０１の差込孔の貫通方向と平行になるように、図９Ａの反時計回りに端子カバー９を回転させる。そして、作業者は、端子カバー９を後方にスライド移動させて、第１板部９２１１を差込孔に差し込む。これにより、図８Ｂに示すように、第１取付部９２１が第１被取付部４０１に取り付けられる。この状態では、第２取付部９２２は、図９Ａに示すように第２被取付部４０２の差込孔の前方（図９Ａの上方）に位置している。
【００８４】
次に、作業者は、第１取付部９２１と第１被取付部４０１とが接触している箇所を支点として、第２取付部９２２が第２被取付部４０２に近づくように端子カバー９を回転させる（図９Ａの反時計回りに回転させる）。これにより、第２取付部９２２が図９Ａの下方へ向かって移動する。
【００８５】
第２取付部９２２は、爪９２２２が第２被取付部４０２の第１部分４０２１の孔を通って第２部分４０２２の孔まで至ると、爪９２２２の突出先端が第２部分４０２２の孔の内壁に接触し、突リブ９２２３の先端面が第１部分４０２１の孔の内壁に接触する（図９Ｂ参照）。ここから、端子カバー９をさらに回転させると、爪９２２２の先端が第２部分４０２２の孔の内壁に接触しながら、第２取付部９２２が下方へ移動する。このとき、板部９２２１は、爪９２２２が第２部分４０２２の孔の内壁により図９Ｂの右向きに押されることによって、左右方向に撓む。板部９２２１の撓みは、爪９２２２が下方へ移動するにつれて大きくなる。
【００８６】
ここから、端子カバー９をさらに回転させると、爪９２２２が第２部分４０２２の孔を下方へ通り抜ける。爪９２２２が第２部分４０２２の孔を通り抜けると、板部９２２１は弾性的に元の形状に復帰して、爪９２２２が第２部分４０２２の孔の周縁に引っ掛かる（図９Ｃ参照）。これにより、第２取付部９２２が第２被取付部４０２に取り付けられる。
【００８７】
第２取付部９２２が第２被取付部４０２に取り付けられた状態（図９Ｃ参照）では、板部９２２１が図９Ｃの左右方向に撓もうとしても、突リブ９２２３が第１部分４０２１の孔の内壁に接触することで、板部９２２１の過度の撓みが抑制される。これにより、爪９２２２の右向きへの変位が抑制される。したがって、爪９２２２が、第２部分４０２２の孔の周縁から外れにくくなり、第２取付部９２２が意図せず第２被取付部４０２から外れてしまう可能性が低減される。
【００８８】
特に、本実施形態では、図９Ｃに示すように、爪９２２２の板部９２２１からの突出量は、第２取付部９２が第２被取付部４０２に取り付けられた状態における突リブ９２２３の突出先端と第１部分４０２１の孔の内壁との間隔よりも、大きい。したがって、板部９２２１が意図せず左右方向に撓んだとしても、爪９２２２が第２部分４０２２の孔の周縁から外れる前に、突リブ９２２３が第１部分４０２１の孔の内壁に接触する。これにより、第２取付部９２２が意図せず第２被取付部４０２から外れてしまう可能性がさらに低減される。なお、第２取付部９２２を第２被取付部４０２から外すには、第１部分４０２１の孔の内壁に当たって突リブ９２２３が左右方向撓む程度の力を加えて、爪９２２２を外せばよい。
【００８９】
要するに、端子カバー９の取付部９２（第２取付部９２２）は、分電盤１の一部（第２被取付部４０２）に引っ掛けられる爪９２２２を備えている。端子カバー９では、爪９２２２は、差込孔の周縁に引っ掛けられるように差込孔への差し込み方向と交差する所定方向（上下方向：図９Ｃの左右方向）の第１向き（下向き：図９Ｃの左向き）に突出している。第２取付部９２２は、突リブ９２２３を備えている。突リブ９２２３は、第１向きと反対向きである第２向き（上向き：図９Ｃの右向き）に突出している。突リブ９２２３は、差込孔に差し込まれた状態で、差込孔の内壁に接触することで爪９２２２の第２向きへの変位を抑制する。これにより、爪９２２２が意図せず差込孔から抜けてしまう可能性を低減することが可能となる。
【００９０】
分電盤１に端子カバー９を取り付けた状態では、接続部８が端子カバー９のカバー本体９１によって覆われる。これにより、分電盤１の安全性が向上する。また、端子カバー９に、電源線Ｗ２及び信号線Ｗ０を保持させ、電源線Ｗ２及び信号線Ｗ０を位置決めすることができる。
【００９１】
（２）変形例
以下に、変形例について列記する。なお、以下に説明する各変形例は、実施形態及び他の変形例と適宜組み合わせて適用可能である。
【００９２】
電源線保持構造は、３本以上の電線を保持できる構造（例えば、左右方向に並ぶ４つ以上の保持リブ９１１２を有する構造）であってもよい。
【００９３】
電源線保持構造及び信号線保持構造は、電源線Ｗ２に流れる電流に起因するノイズが電気信号に影響しなければ、信号線Ｗ０が電源線Ｗ２に接触するように信号線Ｗ０及び電源線Ｗ２を保持してもよい。
【００９４】
電源線保持構造及び信号線保持構造は、信号線Ｗ０の方が主幹ブレーカ２の近くになるように、電源線Ｗ２と信号線Ｗ０とを保持してもよい。
【００９５】
蓋９３は、ヒンジ構造以外の構造によってカバー本体９１に取り付けられてもよい。例えば、蓋９３は、嵌合構造によって、カバー本体９１に着脱自在に取付けられてもよい。
【００９６】
引き出し部９１１５は、切り欠きに限られず、前板９１１を貫通する貫通孔であってもよい。
【００９７】
（３）態様
以上説明した実施形態及び変形例から明らかなように、第１の態様の分電盤（１）は、キャビネット（１０）と、導電部（４）と、接続部（８）と、を備える。導電部（４）は、キャビネット（１０）に収容されて、主幹ブレーカ（２）と分岐ブレーカ（３）との間を電気的に接続する。接続部（８）は、導電部（４）に設けられている。接続部（８）は、計測アダプタ（６）に動作電力を供給するための電源線（Ｗ１〜Ｗ３）が接続される。計測アダプタ（６）は、主幹ブレーカ（２）及び分岐ブレーカ（３）の少なくとも一方を通過する電力を計測する計測機能及び前記キャビネットの外部に配置された機器と通信する通信機能を有する。
【００９８】
第１の態様によれば、計測アダプタ（６）に動作電力を供給するための電源線（Ｗ１〜Ｗ３）が、導電部（４）に設けられた接続部（８）に、直接接続されている。したがって、分岐ブレーカ（３）を介して計測アダプタ（６）に動作電力を供給する場合と比べて、分電盤（１）が設けられている施設内の電気機器への電力供給に利用可能な分岐ブレーカ（３）の数が、増加する。これにより、分電盤（１）の利便性を向上させることが可能となる。
【００９９】
第２の態様の端子カバー（９）は、第１の態様の分電盤（１）に用いられる。端子カバー（９）は、カバー本体（９１）と、取付部（９２）と、を備える。取付部（９２）は、カバー本体（９１）と繋がっている。取付部（９２）は、カバー本体（９１）が接続部（８）を覆うように分電盤（１）の一部に取り付けられる。
【０１００】
第２の態様によれば、接続部（８）をカバー本体（９１）で覆うことができるので、接続部（８）が外部に露出するのが抑制され、分電盤（１）の安全性を向上させることが可能となる。
【０１０１】
第３の態様の端子カバー（９）は、第２の態様において、カバー本体（９１）は、電源線（Ｗ２）を保持する電源線保持構造を有する。
【０１０２】
第３の態様によれば、電源線保持構造によって電源線（Ｗ２）を保持することができる。これにより、電源線（Ｗ２）の位置が安定するので、例えば内蓋（１６）を閉めるとき等に電源線（Ｗ２）を挟み込んでしまう可能性が小さくなり、分電盤（１）の施工性を向上させることが可能となる。
【０１０３】
第４の態様の端子カバー（９）は、第３の態様において、カバー本体（９１）は、計測アダプタ（６）に電気信号を伝達するための信号線（Ｗ０）を保持する、信号線保持構造を有する。
【０１０４】
第４の態様によれば、信号線保持構造によって信号線（Ｗ０）を保持することができる。これにより、信号線（Ｗ０）の位置が安定するので、例えば内蓋（１６）を閉めるとき等に信号線（Ｗ０）を挟み込んでしまう可能性が小さくなり、分電盤（１）の施工性を向上させることが可能となる。
【０１０５】
第５の態様の端子カバー（９）は、第４の態様において、カバー本体（９１）は、板状の前板（９１１）を有する。前板（９１１）は、接続部（８）と対向する厚さ方向の第１面と、信号線保持構造が設けられている厚さ方向の第２面と、を有する。前板（９１１）は、厚さ方向に貫通しており信号線（Ｗ０）が通る引き出し部（９１１５）を有する。
【０１０６】
第５の態様によれば、引き出し部（９１１５）によって、信号線（Ｗ０）を前板（９１１）の厚さ方向の一方側から他方側へ通すことが可能となる。
【０１０７】
第６の態様の端子カバー（９）は、第４又は第５の態様において、電源線保持構造及び信号線保持構造は、信号線（Ｗ０）が電源線（Ｗ２）から離れるように、電源線（Ｗ２）及び信号線（Ｗ０）をそれぞれ保持する。
【０１０８】
第６の態様によれば、信号線（Ｗ０）を伝達される電気信号が、電源線（Ｗ２）に流れる電流に起因するノイズの影響を受けにくくなり、信号伝達の信頼性が向上する。
【０１０９】
第７の態様の端子カバー（９）は、第４〜第６の何れかの態様において、電源線保持構造及び信号線保持構造は、信号線（Ｗ０）の方が電源線（Ｗ２）よりも主幹ブレーカ（２）から離れるように、電源線（Ｗ２）及び信号線（Ｗ０）をそれぞれ保持する。
【０１１０】
第７の態様によれば、信号線（Ｗ０）を伝達される電気信号が、主幹ブレーカ（２）に流れる電流に起因するノイズの影響を受けにくくなり、信号伝達の信頼性が向上する。
【０１１１】
第８の態様の端子カバー（９）は、第３〜第７の何れかの態様において、電源線保持構造に保持された電源線（Ｗ２）の少なくとも一部を覆う蓋（９３）を更に備える。
【０１１２】
第８の態様によれば、蓋（９３）によって、電源線（Ｗ２）を保護することが可能となる。また、電源線（Ｗ２）の位置が安定するので、例えば内蓋（１６）を閉めるとき等に電源線（Ｗ２）を挟み込んでしまう可能性が小さくなり、分電盤（１）の施工性を向上させることが可能となる。
【０１１３】
第９の態様の端子カバー（９）は、第２〜第８の何れかの態様において、取付部（９２）は、分電盤（１）の一部に引っ掛けられる爪（９２２２）を備える。
【０１１４】
第９の態様によれば、爪（９２２２）を引っ掛けることによって、端子カバー（９）を分電盤（１）に着脱自在に取り付けることが可能となる。
【０１１５】
第１０の態様の端子カバー（９）は、第９の態様において、分電盤の一部は、爪（９２２２）が差し込まれる差込孔（第２被取付部（４０２）の差込孔）を備える。爪（９２２２）は、差込孔の周縁に引っ掛けられるように差込孔への差し込み方向と交差する所定方向の第１向きに突出している。取付部（９２）は、突リブ（９２２３）を備える。突リブ（９２２３）は、第１向きと反対向きである第２向きに突出している。突リブ（９２２３）は、差込孔に差し込まれた状態で、差込孔の内壁に接触することで爪（９２２２）の第２向きへの変位を抑制する。
【０１１６】
第１０の態様によれば、爪（９２２２）が意図せず差込孔から抜けてしまう可能性を低減することが可能となる。
【０１１７】
第１１の態様の端子カバー付分電盤（１０００）は、キャビネット（１０）と、導電部（４）と、接続部（８）と、端子カバー（９）と、を備える。導電部（４）は、キャビネット（１０）に収容されて、主幹ブレーカ（２）と分岐ブレーカ（３）との間を電気的に接続する。接続部（８）は、導電部（４）に設けられている。接続部（８）は、計測アダプタ（６）に動作電力を供給するための電源線（Ｗ１〜Ｗ３）が接続される。計測アダプタ（６）は、主幹ブレーカ（２）及び分岐ブレーカ（３）の少なくとも一方を通過する電力を計測する計測機能及び前記キャビネットの外部に配置された機器と通信する通信機能を有する。
【０１１８】
第１１の態様によれば、計測アダプタ（６）に動作電力を供給するための電源線（Ｗ１〜Ｗ３）が、導電部（４）に設けられた接続部（８）に、直接接続されている。したがって、分岐ブレーカ（３）を介して計測アダプタ（６）に動作電力を供給する場合と比べて、分電盤（１）が設けられている施設内の電気機器への電力供給に利用可能な分岐ブレーカ（３）の数が、増加する。これにより、分電盤（１）の利便性を向上させることが可能となる。また、端子カバー（９）によって接続部（８）を覆うことができるので、接続部（８）が外部に露出するのが抑制され、分電盤（１）の安全性を向上させることが可能となる。
【符号の説明】
【０１１９】
１  分電盤
２  主幹ブレーカ
３  分岐ブレーカ
４  導電部
６  計測アダプタ
８  接続部
９  端子カバー
９１  カバー本体
９１１  前板
９１１５  引き出し部
９２  取付部
９２２２  爪
９２２３  突リブ
９３  蓋
１０  キャビネット
Ｗ０  信号線
Ｗ１〜Ｗ３  電源線
【図１】
2019165603.tif 000003
【図２】
2019165603.tif 000004
【図３】
2019165603.tif 000005
【図４】
2019165603.tif 000006
【図５】
2019165603.tif 000007
【図６】
2019165603.tif 000008
【図７】
2019165603.tif 000009
【図８】
2019165603.tif 000010
【図９】
2019165603.tif 000011